(57)【要約】      （修正有）【課題】固定子を保持固定し、鉄損が生じ難く、モータ効率の低下がなく、高温雰囲気でも保持固定力の低下がないキャンドモータポンプを提供する。【解決手段】キャンドモータポンプ１０は、モータハウジング１２とキャン４４との間が固定子２２の収容部分として構成する。固定子はコア鉄心６０及びターミナルホルダ６２の外周面がモータハウジングの内周面と僅かに離間し、コア鉄心及びターミナルホルダの内周面がキャンの外周面と僅かに離間し、コア鉄心の軸線方向他端面がキャンの底壁４５と当接する状態で、ターミナルホルダとモータハウジングとの間を接着し、固定子をモータハウジングに固定する。固定子のモータハウジング及びキャンに対する保持により固定子が圧力を受けず、鉄損が生じ難い。金属（コア鉄心）と樹脂（モータハウジング及びキャン）との線膨張係数に差があっても、固定子のモータハウジング及びキャンに対する保持固定力が低下し難い。【選択図】図５
2005315184.tif 000002
【特許請求の範囲】
【請求項１】
マグネットを備えた回転子と、
前記回転子を回転させるための磁界を発生するコイルが巻装されたコア鉄心と前記コア鉄心の軸線方向一端面に当接された状態で設けられ前記コイルの端末を保持固定する樹脂製のターミナルホルダとから成り、前記回転子の外方に配置された固定子と、
樹脂材から成り、軸線方向一端側が開放し、内周側に前記固定子を収容するハウジングケースと、
前記ハウジングケースの開放側と反対側に位置し、前記回転子に連結され前記回転子と共に回転するインペラを有するポンプ部と、
樹脂材から成り、前記ハウジングケースの開放側と反対側に連続して設けられると共に前記固定子と回転子との間に配置され、前記固定子を前記ポンプ部から隔離密閉するキャンと、
を備えたキャンドモータポンプであって、
前記固定子のコア鉄心及びターミナルホルダの外周面が前記ハウジングケースの内周面と僅かに離間し、前記固定子のコア鉄心及びターミナルホルダの内周面が前記キャンの外周面と僅かに離間し、前記固定子のコア鉄心の軸線方向他端面が前記キャンの底面と当接する状態で、前記固定子のターミナルホルダと前記ハウジングケースとを接着剤によって固着して前記固定子を前記ハウジングケースに固定した、
ことを特徴とするキャンドモータポンプ。
【請求項２】
マグネットを備えた回転子と、
前記回転子を回転させるための磁界を発生するコイルが巻装されたコア鉄心と前記コア鉄心の軸線方向一端面に当接された状態で設けられ前記コイルの端末を保持固定する樹脂製のターミナルホルダとから成り、前記回転子の外方に配置された固定子と、
樹脂材から成り、軸線方向一端側が開放し、内周側に前記固定子を収容するハウジングケースと、
前記ハウジングケースの開放側と反対側に位置し、前記回転子に連結され前記回転子と共に回転するインペラを有するポンプ部と、
樹脂材から成り、前記ハウジングケースの開放側と反対側に連続して設けられると共に前記固定子と回転子との間に配置され、前記固定子を前記ポンプ部から隔離密閉するキャンと、
を備えたキャンドモータポンプであって、
前記ハウジングケースの内周壁に突起を設け、前記固定子のコア鉄心及びターミナルホルダの外周面が前記ハウジングケースの内周面と僅かに離間し、前記固定子のコア鉄心及びターミナルホルダの内周面が前記キャンの外周面と僅かに離間し、前記固定子のコア鉄心の軸線方向他端面が前記キャンの底面と当接する状態で、前記突起を前記ターミナルホルダにカシメて前記固定子を前記ハウジングケースに固定した、
ことを特徴とするキャンドモータポンプ。
【請求項３】
前記固定子のコア鉄心の外周面及び前記ハウジングケースの内周面のうち何れか一方に設けられた凹部と、何れか他方に設けられ前記凹部に嵌合する凸部と、を備え、かつ、
前記凹部及び凸部は、前記コア鉄心及びハウジングケースの軸方向に沿って相対移動可能でかつ周方向に移動不能に設定されている、
ことを特徴とする請求項１または請求項２記載のキャンドモータポンプ。
【請求項４】
前記固定子のコア鉄心及びターミナルホルダの前記軸線方向一端当接面のうち何れか一方に設けられた凹部と、何れか他方に設けられ前記凹部に嵌合する凸部と、を備え、かつ、
前記凹部及び凸部は、前記コア鉄心及びターミナルホルダの周方向に移動不能に設定されている、
ことを特徴とする請求項１乃至請求項３の何れか１項に記載のキャンドモータポンプ。
【発明の詳細な説明】
【技術分野】
【０００１】
本発明はキャンドモータポンプに関する。
【背景技術】
【０００２】
モータによって駆動されるポンプのうち、モータの固定子をポンプ部から隔離密閉した構成のキャンドモータポンプが知られている。
【０００３】
この種のキャンドモータポンプは、モータの固定子（コイル）と回転子（マグネット）との間にキャン（密閉容器）を備えており、このキャンによって固定子をポンプ部から隔離密閉しているため、軸封部が無く、揚液の漏れが生じないため、ウォータポンプ等として広く適用されている。
【０００４】
ところで、従来のこのようなウォータポンプとして適用されたキャンドモータポンプでは、装置のハウジングケースとキャンは共に樹脂製でしかも連続して一体に形成されており、両者の間が固定子の収容部分として構成されている。換言すれば、ハウジングケース及びキャンが、固定子の所謂収容枠として機能する構成となっている。さらに、固定子は、当該ハウジングケースとキャンとの間の収容部分に圧入されて保持固定された構成となっている（一例として、特許文献１参照）。
【０００５】
しかしながら、このように固定子を圧入することによってハウジングケースとキャンとの間の収容部分に保持固定する構成では、固定子に圧入による応力が生じ（残留し）、そのため固定子の鉄損が増加してモータの効率が低下する欠点があった。
【０００６】
また、この種のキャンドモータポンプは高温雰囲気で使用される場合が多いが、金属（固定子）と樹脂（ハウジングケースやキャン）との線（熱）膨張係数の違い（差）により前記圧入による保持力が低下し弛む可能性もあった。
【特許文献１】特開平９−３１７６８２号公報
【発明の開示】
【発明が解決しようとする課題】
【０００７】
本発明は上記事実を考慮し、固定子を樹脂製のハウジングケース及びキャンに対して不要な圧力を受けることなく確実に保持固定することができ、固定子の鉄損が生じ難くモータの効率が低下することがなく、しかも、高温雰囲気で使用されても（雰囲気条件に拘わらず）保持固定力が低下（変化）することがないキャンドモータポンプを得ることが目的である。
【課題を解決するための手段】
【０００８】
請求項１に係る発明のキャンドモータポンプは、マグネットを備えた回転子と、前記回転子を回転させるための磁界を発生するコイルが巻装されたコア鉄心と前記コア鉄心の軸線方向一端面に当接された状態で設けられ前記コイルの端末を保持固定する樹脂製のターミナルホルダとから成り、前記回転子の外方に配置された固定子と、樹脂材から成り、軸線方向一端側が開放し、内周側に前記固定子を収容するハウジングケースと、前記ハウジングケースの開放側と反対側に位置し、前記回転子に連結され前記回転子と共に回転するインペラを有するポンプ部と、樹脂材から成り、前記ハウジングケースの開放側と反対側に連続して設けられると共に前記固定子と回転子との間に配置され、前記固定子を前記ポンプ部から隔離密閉するキャンと、を備えたキャンドモータポンプであって、前記固定子のコア鉄心及びターミナルホルダの外周面が前記ハウジングケースの内周面と僅かに離間し、前記固定子のコア鉄心及びターミナルホルダの内周面が前記キャンの外周面と僅かに離間し、前記固定子のコア鉄心の軸線方向他端面が前記キャンの底面と当接する状態で、前記固定子のターミナルホルダと前記ハウジングケースとを接着剤によって固着して前記固定子を前記ハウジングケースに固定した、ことを特徴としている。
【０００９】
請求項１記載のキャンドモータポンプでは、ハウジングケースとキャンは共に樹脂製でしかも連続して一体に形成されており、両者の間が固定子の収容部分として構成されている。換言すれば、ハウジングケース及びキャンが、固定子の所謂収容枠として機能する構成となっている。
【００１０】
さらに、固定子は、コア鉄心及びターミナルホルダの外周面がハウジングケースの内周面と僅かに離間し、コア鉄心及びターミナルホルダの内周面がキャンの外周面と僅かに離間し、しかも、コア鉄心の軸線方向他端面がキャンの底面と当接する状態で、ターミナルホルダとハウジングケースとが接着剤によって固着されてハウジングケースに固定されている。
【００１１】
このように、固定子のハウジングケース及びキャンに対する保持固定（抜止め及び回止め）のための構造において当該固定子が圧力を不要に受けることがないので、鉄損が生じ難い。したがって、モータ効率の低下を防止することができる。
【００１２】
またしかも、金属（固定子のコア鉄心）と樹脂（ハウジングケース及びキャン）との線（熱）膨張係数に違い（差）があっても、すなわち例えば高温雰囲気で使用されても、当該固定子のハウジングケース及びキャンに対する保持固定力（抜止め及び回止め力）が低下（変化）し難い。
【００１３】
さらに、固定子とハウジングケース及びキャンとの間には、接着剤による固着前においては僅かな隙間があるため、固定子をハウジングケースとキャンとの間の収容部分に嵌め込み易く、組付け作業性も向上する。
【００１４】
請求項２に係る発明のキャンドモータポンプは、マグネットを備えた回転子と、前記回転子を回転させるための磁界を発生するコイルが巻装されたコア鉄心と前記コア鉄心の軸線方向一端面に当接された状態で設けられ前記コイルの端末を保持固定する樹脂製のターミナルホルダとから成り、前記回転子の外方に配置された固定子と、樹脂材から成り、軸線方向一端側が開放し、内周側に前記固定子を収容するハウジングケースと、前記ハウジングケースの開放側と反対側に位置し、前記回転子に連結され前記回転子と共に回転するインペラを有するポンプ部と、樹脂材から成り、前記ハウジングケースの開放側と反対側に連続して設けられると共に前記固定子と回転子との間に配置され、前記固定子を前記ポンプ部から隔離密閉するキャンと、を備えたキャンドモータポンプであって、前記ハウジングケースの内周壁に突起を設け、前記固定子のコア鉄心及びターミナルホルダの外周面が前記ハウジングケースの内周面と僅かに離間し、前記固定子のコア鉄心及びターミナルホルダの内周面が前記キャンの外周面と僅かに離間し、前記固定子のコア鉄心の軸線方向他端面が前記キャンの底面と当接する状態で、前記突起を前記ターミナルホルダにカシメて前記固定子を前記ハウジングケースに固定した、ことを特徴としている。
【００１５】
請求項２記載のキャンドモータポンプでは、ハウジングケースとキャンは共に樹脂製でしかも連続して一体に形成されており、両者の間が固定子の収容部分として構成されている。換言すれば、ハウジングケース及びキャンが、固定子の所謂収容枠として機能する構成となっている。
【００１６】
さらに、固定子は、コア鉄心及びターミナルホルダの外周面がハウジングケースの内周面と僅かに離間し、コア鉄心及びターミナルホルダの内周面がキャンの外周面と僅かに離間し、しかも、コア鉄心の軸線方向他端面がキャンの底面と当接する状態で、ハウジングケースの内周壁に設けられた突起がターミナルホルダにカシメられて固定子がハウジングケースに固定されている。
【００１７】
このように、固定子のハウジングケース及びキャンに対する保持固定（抜止め及び回止め）のための構造において当該固定子が圧力を不要に受けることがないので、鉄損が生じ難い。したがって、モータ効率の低下を防止することができる。
【００１８】
またしかも、金属（固定子のコア鉄心）と樹脂（ハウジングケース及びキャン）との線（熱）膨張係数に違い（差）があっても、すなわち例えば高温雰囲気で使用されても、当該固定子のハウジングケース及びキャンに対する保持固定力（抜止め及び回止め力）が低下（変化）し難い。
【００１９】
さらに、固定子とハウジングケース及びキャンとの間には僅かな隙間があるため、固定子をハウジングケースとキャンとの間の収容部分に嵌め込み易く、組付け作業性も向上する。
【００２０】
請求項３に係る発明のキャンドモータポンプは、請求項１または請求項２記載のキャンドモータポンプにおいて、前記固定子のコア鉄心の外周面及び前記ハウジングケースの内周面のうち何れか一方に設けられた凹部と、何れか他方に設けられ前記凹部に嵌合する凸部と、を備え、かつ、前記凹部及び凸部は、前記コア鉄心及びハウジングケースの軸方向に沿って相対移動可能でかつ周方向に移動不能に設定されている、ことを特徴としている。
【００２１】
請求項３記載のキャンドモータポンプでは、凹部及び凸部が互いに嵌合することで固定子のコア鉄心はハウジングケースに対し周方向に移動不能、すなわち回り止め状態とされる。したがって、固定子のハウジングケース及びキャンに対する保持固定が一層確実なものとなる。
【００２２】
さらに、凹部及び凸部は互いに嵌合状態であってもコア鉄心及びハウジングケースの軸方向に沿って相対移動可能であるため、固定子をハウジングケースとキャンとの間の収容部分に軸方向に沿って嵌め込みが可能であり、組付けが阻害されることはない。
【００２３】
請求項４に係る発明のキャンドモータポンプは、請求項１乃至請求項３の何れか１項に記載のキャンドモータポンプにおいて、前記固定子のコア鉄心及びターミナルホルダの前記軸線方向一端当接面のうち何れか一方に設けられた凹部と、何れか他方に設けられ前記凹部に嵌合する凸部と、を備え、かつ、前記凹部及び凸部は、前記コア鉄心及びターミナルホルダの周方向に移動不能に設定されている、ことを特徴としている。
【００２４】
請求項４記載のキャンドモータポンプでは、凹部及び凸部が互いに嵌合することで固定子のコア鉄心はターミナルホルダに対し周方向に移動不能、すなわち回り止め状態とされる。したがって、固定子のコア鉄心の保持固定が一層確実なものとなる。
【発明を実施するための最良の形態】
【００２５】
図１には本発明の第１の実施の形態に係るキャンドモータポンプ１０の全体構成が断面図にて示されている。
【００２６】
キャンドモータポンプ１０は、ハウジングケースとしてのモータハウジング１２及びポンプハウジング１６を備えており、モータ部１８及びポンプ部２０によって構成されている。
【００２７】
モータ部１８を構成するモータハウジング１２は、樹脂材によって全体として略円筒形で、軸線方向一端側（図１左方側）が開放して形成されている。また、このモータハウジング１２には、キャン４４が一体に連続して形成されている。キャン４４は、モータハウジング１２と同様に、樹脂材から成っており、その一端部（底壁４５）がモータハウジング１２の側にも延出されてモータハウジング１２に連続して一体化された構成となっており、これにより、モータハウジング１２及びキャン４４は、両者の間が後述する固定子２２の収容部分として構成されている。換言すれば、モータハウジング１２及びキャン４４が、固定子２２の所謂収容枠として機能する構成となっている。
【００２８】
このモータ部１８は、固定子２２（電機子ステータ）と回転子２４（マグネットロータ）とを有している。図２乃至図４に詳細に示す如く、固定子２２は、磁界を発生するための巻線５８（コイル）が周囲に巻装されたコア鉄心６０（ステータコア）と、このコア鉄心６０の軸線方向一端面に当接された状態で設けられ巻線５８の端末を保持固定する樹脂製のターミナルホルダ６２とによって構成されている。コア鉄心６０の周囲壁には、軸線方向に沿い前記一端当接面に開放する凹部６４が設けられており、また、ターミナルホルダ６２の前記軸線方向一端当接面周縁には、凹部６４に嵌合する凸部６６が設けられている。コア鉄心６０とターミナルホルダ６２とは、凸部６６が凹部６４に嵌合した状態で互いに当接し合っており、これにより、コア鉄心６０とターミナルホルダ６２とは互いに周方向には相対移動ができないように構成されている。
【００２９】
なお、前記凹部６４をターミナルホルダ６２に設けると共に凸部６６をコア鉄心６０に設ける構成としてもよい。
【００３０】
またさらに、コア鉄心６０の周囲壁には、前記軸線方向に沿って凹部６８が設けられており、また、モータハウジング１２の内周面には、凹部６８に嵌合する凸部７０が設けられている。凹部６８と凸部７０が嵌合した状態では、コア鉄心６０はモータハウジング１２の軸方向に沿って相対移動可能でかつ周方向には移動できないように構成されている。
【００３１】
なお、前記凹部６８をターミナルホルダ６２に設けると共に凸部７０をコア鉄心６０に設ける構成としてもよい。
【００３２】
さらに、ターミナルホルダ６２の周囲壁には、複数箇所（本第１の実施の形態においては、３カ所）に、軸線方向に沿い前記一端当接面に開放する凹部７２が設けられている。この凹部７２は、後に詳述する如く固定子２２をモータハウジング１２内に収容配置する際に利用される。
【００３３】
以上の構成の固定子２２は、モータハウジング１２の内周側のキャン４４との間に収容配置されている。この場合、コア鉄心６０の凹部６８がモータハウジング１２の凸部７０に嵌合することで、モータハウジング１２の軸方向に沿って相対移動可能でかつ周方向には移動不能に収容されており、またしかも、固定子２２は、キャン４４によって、キャン４４の内方及びポンプ部２０から隔離密閉されている。
【００３４】
ここで、固定子２２（コア鉄心６０及びターミナルホルダ６２）は、モータハウジング１２とキャン４４との間の収容部分に保持固定された構成となっているが、図５に概略的に示す如く（なお、図５においては、各部の詳細を省略しかつ主要部を誇張して描いている）、コア鉄心６０及びターミナルホルダ６２の外周面がモータハウジング１２の内周面と僅かに離間し、コア鉄心６０及びターミナルホルダ６２の内周面がキャン４４の外周面と僅かに離間し、さらに、コア鉄心６０の軸線方向他端面がキャン４４の底壁４５と当接する状態で、しかも、ターミナルホルダ６２とモータハウジング１２とを接着剤Ｓによって固着することで、この固定子２２をモータハウジング１２に固定した構成となっている。
【００３５】
一方、モータ部１８の回転子２４は、固定子２２の内方側に位置し、ポンプハウジング１６に取り付けられた支軸２６に軸受２８を介して回転可能に支持されており、この支軸２６周りに回転する。
【００３６】
ここで、図６には、回転子２４（マグネットロータ）単体の構成が断面図にて示されている。回転子２４は、樹脂製のロータ本体３０と、このロータ本体３０の周囲に一体にモールド成形により設けられたバックヨーク３２及び希土類永久磁石３４と、モールド樹脂部３６と、によって構成されている。
【００３７】
ロータ本体３０は、全体として略円筒形に構成されており、磁石嵌合部３８が形成されている。この磁石嵌合部３８に、バックヨーク３２及び希土類永久磁石３４が一体に設けられている。バックヨーク３２は、磁性体によって全体としてリング状に形成されている。また、希土類永久磁石３４は、リング状に形成されており、バックヨーク３２の外周に一体に設けられている。
【００３８】
また、磁石嵌合部３８の軸方向前方側（図６右方側）には、２つのリブ４０が一体に形成されている。これらのリブ４０は、径方向外側へ向けて突出し円周方向に沿って環状に連続して形成されており、軸方向に沿って互いに隣接して二重に設けられている。またさらに、磁石嵌合部３８の軸方向後方側（図６左方側）には、２つのリブ４２が一体に形成されている。これらのリブ４２も、外側へ向けて突出し円周方向に沿って環状に連続して形成されており、互いに隣接して二重に設けられている。
【００３９】
一方、モールド樹脂部３６は、図６に示す如く、バックヨーク３２及び希土類永久磁石３４並びにリブ４０及びリブ４２を外方から被覆するように、ロータ本体３０に一体にモールド成形されている。
【００４０】
このように、回転子２４は、ロータ本体３０及びモールド樹脂部３６の内部にバックヨーク３２及び希土類永久磁石３４が一体にモールド成形された構成となっている。
【００４１】
また、キャン４４の後端側（図１左方側）には、Ｏリング４６を介して放熱板４８が接続されており、キャン４４の内方側（回転子２４の側）を密閉封止している。さらに、放熱板４８の裏面側には、回路素子５０が設けられている。
【００４２】
一方、モータ部１８の側方（モータハウジング１２の開放側と反対側）にはポンプ部２０が配置されている。ポンプ部２０を構成するポンプハウジング１６は、樹脂製で、モータハウジング１２にＯリング１４を介して接続されている。また、ポンプ部２０は、モータ部１８の回転子２４（ロータ本体３０）に連結されたインペラ５２を有しており、回転子２４と共にインペラ５２が回転することで、吸入孔５４から揚液を吸い込み、吐出孔５６から吐出する構成となっている。
【００４３】
次に本第１の実施の形態の作用を説明する。
【００４４】
上記構成のキャンドモータポンプ１０では、モータハウジング１２とキャン４４は共に樹脂製でしかも連続して一体に形成されており、両者の間が固定子２２の収容部分として構成されている。換言すれば、モータハウジング１２及びキャン４４が、固定子２２の所謂収容枠として機能する構成となっている。
【００４５】
ここで、固定子２２を当該収容部分に挿入し保持固定する際には、図３に示す如く、コア鉄心６０の凹部６８をモータハウジング１２の凸部７０に嵌合させながら、ターミナルホルダ６２の周囲壁に設けられた凹部７２を所謂「へら」等の工具によって押し込んでモータハウジング１２の軸方向に沿って移動させる。これにより、固定子２２は、コア鉄心６０及びターミナルホルダ６２の外周面がモータハウジング１２の内周面と僅かに離間し、コア鉄心６０及びターミナルホルダ６２の内周面がキャン４４の外周面と僅かに離間し、しかも、コア鉄心６０の軸線方向他端面がキャン４４の底壁４５と当接する状態とする。さらにこの状態で、ターミナルホルダ６２とモータハウジング１２との間に接着剤Ｓを挿入して固着することで、固定子２２がモータハウジング１２に固定される。
【００４６】
なおこの場合、ターミナルホルダ６２の周囲壁に設けられた凹部７２を介して接着剤を挿入すると好適であるが、これに限らず、ターミナルホルダ６２の全周囲に亘って接着剤を行き渡らせると一層効果的である。
【００４７】
このように、固定子２２のモータハウジング１２及びキャン４４に対する保持固定（抜止め及び回止め）のための構造において当該固定子２２が圧力を不要に受けることがないので、鉄損が生じ難い。したがって、モータ効率の低下を防止することができる。
【００４８】
またしかも、金属（固定子２２のコア鉄心６０）と樹脂（モータハウジング１２及びキャン４４）との線（熱）膨張係数に違い（差）があっても、すなわち例えば高温雰囲気で使用されても、当該固定子２２のモータハウジング１２及びキャン４４に対する保持固定力（抜止め及び回止め力）が低下（変化）し難い。
【００４９】
さらに、固定子２２とモータハウジング１２及びキャン４４との間には、接着剤による固着前においては僅かな隙間があるため、固定子２２をモータハウジング１２とキャン４４との間の収容部分に嵌め込み易く、組付け作業性も向上する。
【００５０】
また、このキャンドモータポンプ１０では、凹部６８及び凸部７０が互いに嵌合することで固定子２２のコア鉄心６０はモータハウジング１２に対し周方向に移動不能、すなわち回り止め状態とされる。したがって、固定子２２のモータハウジング１２及びキャン４４に対する保持固定が一層確実なものとなる。
【００５１】
さらに、凹部６８及び凸部７０は互いに嵌合状態であってもコア鉄心６０及びモータハウジング１２の軸方向に沿って相対移動可能であるため、固定子２２をモータハウジング１２とキャン４４との間の収容部分に軸方向に沿って嵌め込みが可能であり、組付けが阻害されることはない。
【００５２】
またさらに、このキャンドモータポンプ１０では、凹部６４及び凸部６６が互いに嵌合することで固定子２２のコア鉄心６０はターミナルホルダ６２に対し周方向に移動不能、すなわち回り止め状態とされる。したがって、固定子２２のコア鉄心６０の保持固定が一層確実なものとなる。
【００５３】
このように、本第１の実施の形態に係るキャンドモータポンプ１０では、固定子２２を樹脂製のモータハウジング１２及びキャン４４に対して不要な圧力を受けることなく確実に保持固定することができ、固定子２２の鉄損が生じ難くモータの効率が低下することがなく、しかも、高温雰囲気で使用されても（雰囲気条件に拘わらず）保持固定力が低下（変化）することがない。
【００５４】
次に、本発明の他の実施の形態を説明する。
【００５５】
なお、前記第１の実施の形態と基本的に同一の部品には、前記第１の実施の形態と同一の符号を付与しその説明を省略する。
【００５６】
図７には、第２の実施の形態に係るキャンドモータポンプ８０の固定子２２及びモータハウジング１２の構成が概略的な断面図にて示されている（なお、図７においては、図５と同様に、各部の詳細を省略しかつ主要部を誇張して描いている）。
【００５７】
このキャンドモータポンプ８０では、ハウジングケースとしてのモータハウジング１２の内周壁には、楔形状の突起８２が突出して設けられている。この突起８２は、固定子２２のターミナルホルダ６２の軸線方向一端周縁部分に対応しており、若干の撓み変形可能でありターミナルホルダ６２に係合することで抜け止め機能を発揮する構成となっている。
【００５８】
このキャンドモータポンプ８０では、固定子２２をモータハウジング１２とキャン４４との間の収容部分に挿入し保持固定する際には、突起８２が若干の撓み変形することで、固定子２２がモータハウジング１２の軸方向に沿って移動される。これにより、固定子２２は、コア鉄心６０及びターミナルホルダ６２の外周面がモータハウジング１２の内周面と僅かに離間し、コア鉄心６０及びターミナルホルダ６２の内周面がキャン４４の外周面と僅かに離間し、しかも、コア鉄心６０の軸線方向他端面がキャン４４の底壁４５と当接する状態とする。この状態では、突起８２が、ターミナルホルダ６２の軸線方向一端周縁部分に係合して、当該固定子２２の抜け止めが成されて、固定子２２がモータハウジング１２に固定される。
【００５９】
このように、固定子２２のモータハウジング１２及びキャン４４に対する保持固定（抜止め及び回止め）のための構造において当該固定子２２が圧力を不要に受けることがないので、鉄損が生じ難い。したがって、モータ効率の低下を防止することができる。
【００６０】
またしかも、金属（固定子２２のコア鉄心６０）と樹脂（モータハウジング１２及びキャン４４）との線（熱）膨張係数に違い（差）があっても、当該固定子２２のモータハウジング１２及びキャン４４に対する保持固定力（抜止め及び回止め力）が低下（変化）し難い。
【００６１】
さらに、固定子２２とモータハウジング１２及びキャン４４との間には僅かな隙間があるため、固定子２２をモータハウジング１２とキャン４４との間の収容部分に嵌め込み易く、組付け作業性も向上する。
【００６２】
また、このキャンドモータポンプ８０においても、凹部６８及び凸部７０が互いに嵌合することで固定子２２のコア鉄心６０はモータハウジング１２に対し周方向に移動不能、すなわち回り止め状態とされる。したがって、固定子２２のモータハウジング１２及びキャン４４に対する保持固定が一層確実なものとなる。
【００６３】
さらに、凹部６８及び凸部７０は互いに嵌合状態であってもコア鉄心６０及びモータハウジング１２の軸方向に沿って相対移動可能であるため、固定子２２をモータハウジング１２とキャン４４との間の収容部分に軸方向に沿って嵌め込みが可能であり、組付けが阻害されることはない。
【００６４】
このように、本第２の実施の形態に係るキャンドモータポンプ８０では、固定子２２を樹脂製のモータハウジング１２及びキャン４４に対して不要な圧力を受けることなく確実に保持固定することができ、固定子２２の鉄損が生じ難くモータの効率が低下することがなく、しかも、高温雰囲気で使用されても（雰囲気条件に拘わらず）保持固定力が低下（変化）することがない。
【００６５】
なお、前述した第２の実施の形態において、固定子２２をモータハウジング１２とキャン４４との間の収容部分に軸方向に沿って嵌め込んだ状態で更に、ターミナルホルダ６２とモータハウジング１２との間に接着剤Ｓを挿入することによって固着する構成とすれば、固定子２２の固定が一層強固に成される。
【００６６】
次に、図８には、第３の実施の形態に係るキャンドモータポンプ９０の固定子２２及びモータハウジング１２の構成が概略的な断面図にて示されている（なお、図８においては、図５及び図７と同様に、各部の詳細を省略しかつ主要部を誇張して描いている）。
【００６７】
このキャンドモータポンプ９０は、基本的には前述した第２の実施の形態に係るキャンドモータポンプ８０と基本的に同様の構成であるが、モータハウジング１２の内周壁に形成された突起９２が、ターミナルホルダ６２に溶着または熱カシメされることで、固定子２２がモータハウジング１２に固定された構成となっている。
【００６８】
したがって、このキャンドモータポンプ９０においても、固定子２２のモータハウジング１２及びキャン４４に対する保持固定（抜止め及び回止め）のための構造において当該固定子２２が圧力を不要に受けることがないので、鉄損が生じ難い。したがって、モータ効率の低下を防止することができる。またしかも、金属（固定子２２のコア鉄心６０）と樹脂（モータハウジング１２及びキャン４４）との線（熱）膨張係数に違い（差）があっても、当該固定子２２のモータハウジング１２及びキャン４４に対する保持固定力（抜止め及び回止め力）が低下（変化）し難い。
【００６９】
なお、前述した第３の実施の形態においても、固定子２２をモータハウジング１２とキャン４４との間の収容部分に軸方向に沿って嵌め込んだ状態で更に、ターミナルホルダ６２とモータハウジング１２との間に接着剤Ｓを挿入することによって固着する構成とすれば、固定子２２の固定が一層強固に成される。
【００７０】
次に、図９（Ａ）及び図９（Ｂ）には、第４の実施の形態に係るキャンドモータポンプ１００の固定子２２及びモータハウジング１２の構成が概略的な断面図にて示されている（なお、図９（Ａ）及び図９（Ｂ）においては、図５及び図７、図８と同様に、各部の詳細を省略しかつ主要部を誇張して描いている）。
【００７１】
このキャンドモータポンプ１００は、基本的には前述した第２の実施の形態に係るキャンドモータポンプ８０と基本的に同様の構成であるが、前述した各実施の形態におけるモータハウジング１２の凸部７０は省略された構成となっており、固定子２２はモータハウジング１２に対し周方向に沿って若干の相対移動が可能となっている。またしかも、コア鉄心６０の周囲壁に設けられた凹部６８及びターミナルホルダ６２の周囲壁に設けられた凹部７２とは、軸緯線方向に沿って連続して形成された構成となっている。
【００７２】
また、このキャンドモータポンプ１００では、モータハウジング１２の内周壁に、箱形状の突起１０２が突出して設けられている。この突起１０２は、固定子２２のコア鉄心６０の凹部６８及びターミナルホルダ６２の凹部７２に対応しておりこれらの凹部６８及び凹部７２内に相対移動可能に嵌入することができ、しかも、ターミナルホルダ６２の軸線方向一端周縁部分にも対応しており、ターミナルホルダ６２の軸線方向一端周縁部分に係合することで抜け止め機能を発揮する構成となっている。
【００７３】
このキャンドモータポンプ１００では、固定子２２をモータハウジング１２とキャン４４との間の収容部分に挿入し保持固定する際には、突起１０２を固定子２２の凹部６８及び凹部７２内に嵌入し、この状態で固定子２２がモータハウジング１２の軸方向に沿って移動され、コア鉄心６０の軸線方向他端面がキャン４４の底壁４５と当接する状態とする。さらに、この状態で、固定子２２をモータハウジング１２に対し周方向に沿って若干量だけ相対移動させる。これにより、突起１０２が、ターミナルホルダ６２の軸線方向一端周縁部分に係合して、当該固定子２２の抜け止めが成されて、固定子２２がモータハウジング１２に固定される。
【００７４】
このように、固定子２２のモータハウジング１２及びキャン４４に対する保持固定（抜止め及び回止め）のための構造において当該固定子２２が圧力を不要に受けることがないので、鉄損が生じ難い。したがって、モータ効率の低下を防止することができる。またしかも、金属（固定子２２のコア鉄心６０）と樹脂（モータハウジング１２及びキャン４４）との線（熱）膨張係数に違い（差）があっても、当該固定子２２のモータハウジング１２及びキャン４４に対する保持固定力（抜止め及び回止め力）が低下（変化）し難い。
【００７５】
なお、前述した第４の実施の形態においても、固定子２２をモータハウジング１２とキャン４４との間の収容部分に軸方向に沿って嵌め込んだ状態で更に、ターミナルホルダ６２とモータハウジング１２との間に接着剤Ｓを挿入することによって固着する構成とすれば、固定子２２の固定が一層強固に成される。
【００７６】
またしかも、突起１０２がターミナルホルダ６２の軸線方向一端周縁部分に係合する状態とした後に、更に当該突起１０２をターミナルホルダ６２に溶着または熱カシメして固定する構成とすれば、固定子２２の固定が更により一層強固に成される。
【図面の簡単な説明】
【００７７】
【図１】本発明の第１の実施の形態に係るキャンドモータポンプの全体構成を示す断面図である。
【図２】本発明の第１の実施の形態に係るキャンドモータポンプの固定子とモータハウジングの構成を示す斜視図である。
【図３】本発明の第１の実施の形態に係るキャンドモータポンプの固定子とモータハウジングの構成を示す分解斜視図である。
【図４】本発明の第１の実施の形態に係るキャンドモータポンプの固定子の構成を示し、（Ａ）は斜視図であり、（Ｂ）は平面図である。
【図５】本発明の第１の実施の形態に係るキャンドモータポンプの固定子の保持固定状態を示す概略的な断面図である。
【図６】本発明の第１の実施の形態に係るキャンドモータポンプの回転子の構成を示す断面図である。
【図７】本発明の第２の実施の形態に係るキャンドモータポンプの固定子の保持固定状態を示す概略的な断面図である。
【図８】本発明の第３の実施の形態に係るキャンドモータポンプの固定子の保持固定状態を示す概略的な断面図である。
【図９】本発明の第４の実施の形態に係るキャンドモータポンプの固定子の保持固定状態を示し、（Ａ）は概略的な断面図であり、（Ｂ）は一部省略した平面図である。
【符号の説明】
【００７８】
１０・・キャンドモータポンプ、１２・・モータハウジング（ハウジングケース）、１６・・ポンプハウジング、１８・・モータ部、２０・・ポンプ部、２２・・固定子、２４・・回転子、３４・・希土類永久磁石（マグネット）、４４・・キャン、５２・・インペラ、５８・・巻線、６０・・コア鉄心、６２・・ターミナルホルダ、６４・・凹部、６６・・凸部、６８・・凹部、７０・・凸部、７２・・凹部、Ｓ・・接着剤
【図１】
2005315184.tif 000003
【図２】
2005315184.tif 000004
【図３】
2005315184.tif 000005
【図４】
2005315184.tif 000006
【図５】
2005315184.tif 000007
【図６】
2005315184.tif 000008
【図７】
2005315184.tif 000009
【図８】
2005315184.tif 000010
【図９】
2005315184.tif 000011